(57)【要約】【課題】ボンディングワイヤの高さが制限されたとしてもボンディングワイヤの断線を抑制できる液晶表示デバイスを提供する。【解決手段】液晶表示デバイス１は液晶表示素子１００と第２の端子５０を有する配線基板１０と遮光マスク３０とを備える。液晶表示素子１００は第１の端子１５０と表示画素部１１１とを有する第１の基板１１０と第１の基板１１０に対して照明光ＩＬが照射される側に配置された第２の基板１２０とを備える。ボンディングワイヤＢＷはアーチ形状を有し、かつ、ボンディングワイヤＢＷの頂部ＢＷＴが第２の基板１２０の上面１２０ａよりも低くなるように形成され、第１の端子１５０と第１のボンディングにより接合され、第２の端子５０と第２のボンディングにより接合されている。遮光マスク３０は表示画素部１１１に対応する光透過領域３１を有し、液晶表示素子１００に対して照明光ＩＬが照射される側に配置されている。【選択図】図１
2019152775.tif 000002
【特許請求の範囲】
【請求項１】
第１の端子と、複数の画素電極が配置され、かつ、外部から照射される照明光を前記画素電極ごとに光変調する表示画素部とを有する液晶表示素子と、
第２の端子を有する配線基板と、
前記第１の端子と第１のボンディングにより接合され、前記第２の端子と第２のボンディングにより接合されて、前記液晶表示素子と前記配線基板とを接続するボンディングワイヤと、
前記ボンディングワイヤにおける前記第２の端子との接合部上に形成されたボンディング補強部材と、
前記液晶表示素子に対して前記照明光が照射される側に配置された遮光マスクと、
を備え、
前記液晶表示素子は、
前記第１の端子、及び、前記表示画素部を有する第１の基板と、
前記第１の基板に対して前記照明光が照射される側に所定の間隙を有して配置され、前記複数の画素電極と対向する対向電極を有する第２の基板と、
前記表示画素部の外周部に沿って形成され、前記第１の基板と前記第２の基板とを固定するシール材と、
前記所定の間隙に充填され、前記シール材により封止された液晶と、
を有し、
前記遮光マスクは、
前記表示画素部に対応する光透過領域を有し、
前記ボンディングワイヤは、アーチ形状を有し、かつ、前記ボンディングワイヤの頂部が前記第２の基板の上面よりも低くなるように形成されている
ことを特徴とする液晶表示デバイス。
【請求項２】
前記ボンディング補強部材は、前記ボンディングワイヤにおける前記接合部との境界部を覆って前記接合部上に形成されている
ことを特徴とする請求項１に記載の液晶表示デバイス。
【請求項３】
第１の端子と複数の画素電極が配置され、かつ、外部から照射される照明光を前記画素電極ごとに光変調する表示画素部とを有する第１の基板と、前記第１の基板に対して前記照明光が照射される側に所定の間隙を有して配置され、前記複数の画素電極と対向する対向電極を有する第２の基板と、前記表示画素部の外周部に沿って形成され、前記第１の基板と前記第２の基板とを固定するシール材と、前記所定の間隙に充填され、前記シール材により封止された液晶とを備える液晶表示素子と、第２の端子を有する配線基板とを固定し、
ボンディングワイヤを第１のボンディングにより前記第１の端子に接合し、
前記ボンディングワイヤがアーチ形状を有し、かつ、前記ボンディングワイヤの頂部が前記第２の基板の上面よりも低くなるように、前記ボンディングワイヤを第２のボンディングにより前記第２の端子に接合し、
前記ボンディングワイヤにおける前記第２の端子との接合部上にボンディング補強部材を形成し、
前記表示画素部に対応する光透過領域を有する遮光マスクを、前記光透過領域が前記表示画素部に対して前記照明光が照射される側に位置するように、前記液晶表示素子に対して前記照明光が照射される側に配置する
ことを特徴とする液晶表示デバイスの製造方法。
【発明の詳細な説明】
【技術分野】
【０００１】
本発明は、液晶表示デバイス及び液晶表示デバイスの製造方法に関する。
【背景技術】
【０００２】
液晶表示デバイスは、プロジェクタまたはヘッドアップディスプレイ等の表示装置に用いられている。液晶表示デバイスは、照射された照明光を画素ごとに光変調して画像光を生成する。表示装置は、液晶表示デバイスにより生成された画像光をスクリーン等に投射することにより、画像を表示する。特許文献１には液晶表示デバイスの一例が記載されている。
【先行技術文献】
【特許文献】
【０００３】
【特許文献１】特開２００６−２６７４１３号公報
【発明の概要】
【発明が解決しようとする課題】
【０００４】
液晶表示素子は、複数の画素が配置されている表示画素部を有する。液晶表示素子は、表示画素部に照射された照明光を画素ごとに光変調して画像光を生成する。液晶表示素子の上方には遮光マスクが配置されている。遮光マスクは、表示画素部以外の領域に照射される照明光を遮光する。表示画素部以外の領域を精度よく遮光するためには、遮光マスクを液晶表示素子に接近させて配置することが望ましい。
【０００５】
一般的に、液晶表示デバイスは、液晶表示素子とフレキシブル配線基板とがボンディングワイヤにより接続されている。近年、フレキシブル配線基板は、液晶表示デバイスとボンディングワイヤを介して接続される端子の数が増加する傾向にある。そのため、フレキシブル配線基板の端子を多段化して配置する必要がある。
【０００６】
液晶表示素子の端子とフレキシブル配線基板の端子とをボンディングワイヤを介して接続する場合、液晶表示素子の端子とフレキシブル配線基板の端子との距離に応じて、ボンディングワイヤの高さを調整して、各端子をワイヤボンディングすることが望ましい。
【０００７】
具体的には、液晶表示素子の端子とフレキシブル配線基板の端子との距離が長くなるほど、ボンディングワイヤの頂部を高くすることが望ましい。しかしながら、ボンディングワイヤの頂部を高くすると、ボンディングワイヤと遮光マスクとが接触する。ボンディングワイヤと遮光マスクとが接触すると、ボンディングワイヤ同士が接触し、液晶表示デバイスの性能または信頼性を悪化させる要因となる。
【０００８】
遮光マスクとボンディングワイヤとが接触しないように、ボンディングワイヤの高さを制限すると、液晶表示素子の端子とフレキシブル配線基板の端子との距離が長くなるほど、ボンディングワイヤのネック部分で断線しやすくなる。
【０００９】
本発明は、ボンディングワイヤの高さが制限されたとしてもボンディングワイヤの断線を抑制できる液晶表示デバイス及び液晶表示デバイスの製造方法を提供することを目的とする。
【課題を解決するための手段】
【００１０】
本発明は、第１の端子と、複数の画素電極が配置され、かつ、外部から照射される照明光を前記画素電極ごとに光変調する表示画素部とを有する液晶表示素子と、第２の端子を有する配線基板と、前記第１の端子と第１のボンディングにより接合され、前記第２の端子と第２のボンディングにより接合されて、前記液晶表示素子と前記配線基板とを接続するボンディングワイヤと、前記ボンディングワイヤにおける前記第２の端子との接合部上に形成されたボンディング補強部材と、前記液晶表示素子に対して前記照明光が照射される側に配置された遮光マスクとを備え、前記液晶表示素子は、前記第１の端子、及び、前記表示画素部を有する第１の基板と、前記第１の基板に対して前記照明光が照射される側に所定の間隙を有して配置され、前記複数の画素電極と対向する対向電極を有する第２の基板と、前記表示画素部の外周部に沿って形成され、前記第１の基板と前記第２の基板とを固定するシール材と、前記所定の間隙に充填され、前記シール材により封止された液晶とを有し、前記遮光マスクは、前記表示画素部に対応する光透過領域を有し、前記ボンディングワイヤは、アーチ形状を有し、かつ、前記ボンディングワイヤの頂部が前記第２の基板の上面よりも低くなるように形成されていることを特徴とする液晶表示デバイスを提供する。
【００１１】
また、本発明は、第１の端子と複数の画素電極が配置され、かつ、外部から照射される照明光を前記画素電極ごとに光変調する表示画素部とを有する第１の基板と、前記第１の基板に対して前記照明光が照射される側に所定の間隙を有して配置され、前記複数の画素電極と対向する対向電極を有する第２の基板と、前記表示画素部の外周部に沿って形成され、前記第１の基板と前記第２の基板とを固定するシール材と、前記所定の間隙に充填され、前記シール材により封止された液晶とを備える液晶表示素子と、第２の端子を有する配線基板とを固定し、ボンディングワイヤを第１のボンディングにより前記第１の端子に接合し、前記ボンディングワイヤがアーチ形状を有し、かつ、前記ボンディングワイヤの頂部が前記第２の基板の上面よりも低くなるように、前記ボンディングワイヤを第２のボンディングにより前記第２の端子に接合し、前記ボンディングワイヤにおける前記第２の端子との接合部上にボンディング補強部材を形成し、前記表示画素部に対応する光透過領域を有する遮光マスクを、前記光透過領域が前記表示画素部に対して前記照明光が照射される側に位置するように、前記液晶表示素子に対して前記照明光が照射される側に配置することを特徴とする液晶表示デバイスの製造方法を提供する。
【発明の効果】
【００１２】
本発明の液晶表示デバイス及び液晶表示デバイスの製造方法によれば、ボンディングワイヤの高さが制限されたとしてもボンディングワイヤの断線を抑制できる。
【図面の簡単な説明】
【００１３】
【図１】一実施形態の液晶表示デバイスを示す断面図である。
【図２】液晶表示素子の端子と配線基板の端子とを示す平面図である。
【図３】液晶表示素子の端子と配線基板の端子との距離とボンディングワイヤの高さとの関係を示す図である。
【図４】ボンディングワイヤの高さが制限された状態を示す図である。
【図５】液晶表示デバイスの製造方法の一例を示すフローチャートである。
【図６Ａ】液晶表示デバイスの製造方法の一過程を示す図である。
【図６Ｂ】液晶表示デバイスの製造方法の一過程を示す図である。
【図７Ａ】液晶表示デバイスの製造方法の一過程を示す図である。
【図７Ｂ】液晶表示デバイスの製造方法の一過程を示す図である。
【図７Ｃ】液晶表示デバイスの製造方法の一過程を示す図である。
【発明を実施するための形態】
【００１４】
図１及び図２を用いて、一実施形態の液晶表示デバイスを説明する。図１は一実施形態の液晶表示デバイスの構成例を示している。図２は、液晶表示素子の端子と配線基板の端子とを示している。図１に示すように、液晶表示デバイス１は、液晶表示素子１００と、配線基板１０と、ヒートシンク２０と、遮光マスク３０とを備える。配線基板１０としてフレキシブル配線基板を用いてもよい。ヒートシンク２０の材料としてアルミニウムまたはアルミニウム合金を用いてもよい。
【００１５】
液晶表示素子１００は、例えば反射型の液晶表示素子である。液晶表示素子１００は、駆動基板１１０（第１の基板）と、透明基板１２０（第２の基板）と、液晶１３０と、シール材１４０とを有する。図１または図２に示すように、駆動基板１１０は表示画素部１１１と複数の端子１５０（第１の端子）とを有する。表示画素部１１１には複数の画素電極１１２（第１の電極）が配置されている。駆動基板１１０としてシリコン基板を用いてもよい。画素電極１１２は光反射性を有する。画素電極１１２の材料としてアルミニウムまたはアルミニウム合金を用いてもよい。
【００１６】
透明基板１２０は駆動基板１１０の上方に配置されている。透明基板１２０は対向電極１２１（第２の電極）を有する。対向電極１２１は、複数の画素電極１１２と対向するように、表示画素部１１１上に配置されている。複数の端子１５０は駆動基板１１０の表示画素部１１１、及び、対向電極１２１と接続する。透明基板１２０、及び、対向電極１２１は光透過性を有する。即ち、対向電極１２１は透明電極である。透明基板１２０としてガラス板を用いてもよい。対向電極１２１の材料としてＩＴＯ（酸化インジウム錫）を用いてもよい。
【００１７】
駆動基板１１０と透明基板１２０とは、所定の間隙を有してシール材１４０により固定されている。シール材１４０は表示画素部１１１の外周部に沿って環状に形成されている。液晶１３０は、駆動基板１１０と透明基板１２０との間隙に充填され、シール材１４０により封止されている。複数の端子１５０は、駆動基板１１０において透明基板１２０よりも外側の領域である外周部に形成されている。
【００１８】
液晶表示素子１００の駆動基板１１０と配線基板１０とは、位置合わせされ、接着部材４０により固定されている。接着部材４０としてシート状の接着部材を用いてもよい。配線基板１０は、複数の端子５０（第２の端子）を有する。図２は、配線基板１０の端子５０を多段化して配置する一例として、端子５０が４段に配置されている場合を示している。
【００１９】
各端子５０を区別するため、液晶表示素子１００に最も近い１段目の端子５０を端子５１とし、次に近い２段目の端子５０を端子５２とし、次に近い３段目の端子５０を端子５３とし、最も遠い４段目の端子５０を端子５４とする。例えば、端子５１は接地端子であり、端子５２は電源端子であり、端子５３及び５４は信号端子である。図２に示す符号ＣＷは配線基板１０に形成され、端子５１〜５４と接続する配線を簡略化して示している。図２に示す端子５１〜５４は、図１に示す端子５１〜５４に相当する。
【００２０】
液晶表示素子１００の駆動基板１１０と配線基板１０とは複数のボンディングワイヤＢＷによって接続されている。具体的には、駆動基板１１０の複数の端子１５０と配線基板１０の端子５１〜５４とが、複数のボンディングワイヤＢＷによって接続されている。ボンディングワイヤＢＷの材料として金を用いてもよい。図１では、駆動基板１１０の端子１５０と配線基板１０の端子５４とを接続する１本のボンディングワイヤＢＷのみを示している。
【００２１】
ボンディングワイヤＢＷを形成するためのワイヤボンディングにおいて、駆動基板１１０の複数の端子１５０は、第１のボンディングを行うためのボンディングパッドとして機能する。配線基板１０の端子５１〜５４は、第２のボンディングを行うためのボンディングパッドとして機能する。
【００２２】
ボンディングワイヤＢＷは、第１のボンディング（ボールボンディング）により駆動基板１１０の端子１５０に接合され、第２のボンディング（ウェッジボンディング）により配線基板１０の端子５１〜５４に接合される。
【００２３】
ボンディングワイヤＢＷはアーチ形状を有する。ボンディングワイヤＢＷは、ボンディングワイヤＢＷの頂部ＢＷＴが透明基板１２０の上面１２０ａよりも低くなるように形成されている。実際には、シール材１４０、及び、接着部材４３の厚さは、透明基板１２０の厚さＴＮ１２０と比較して無視できるほど薄い。
【００２４】
従って、ボンディングワイヤＢＷは、ボンディングワイヤＢＷの高さＢＷＨが透明基板１２０の厚さＴＮ１２０よりも小さくなる（ＢＷＨ＜ＴＮ１２０）ように形成してもよい。ボンディングワイヤＢＷの高さＢＷＨとは、駆動基板１１０の上面１１０ａからボンディングワイヤＢＷの頂部ＢＷＴまでの高さである。
【００２５】
封止樹脂４１は、複数のボンディングワイヤＢＷと複数の端子５０（５１〜５４）及び１５０とを覆うように、駆動基板１１０上、及び、配線基板１０上に形成されている。封止樹脂４１は、外部からの機械的ストレスから複数のボンディングワイヤＢＷを保護し、かつ、複数のボンディングワイヤＢＷに対する耐湿性を向上させる。また、封止樹脂４１は、駆動基板１１０と配線基板１０との相対位置を固定する。
【００２６】
封止樹脂４１として熱硬化性樹脂を用いる場合、封止樹脂４１を熱硬化させるときに封止樹脂４１が硬化収縮する。封止樹脂４１の硬化収縮によりボンディングワイヤＢＷには引っ張り応力が発生し、ボンディングワイヤＢＷを断線させる要因となる。そのため、封止樹脂４１として、熱硬化性樹脂よりも硬化収縮が少ない紫外線硬化性樹脂を用いることが好ましい。
【００２７】
液晶表示素子１００の駆動基板１１０は、ゲル状の熱伝導性部材４２を介して、ヒートシンク２０上に配置されている。熱伝導性部材４２は、外部からの機械的ストレスから液晶表示素子１００を保護するクッション材として機能する。液晶表示素子１００の透明基板１２０は、ヒートシンク２０と位置合わせされ、接着部材４３によりヒートシンク２０上に固定されている。接着部材４３として紫外線硬化性樹脂を用いてもよい。
【００２８】
配線基板１０は、接着部材４４によりヒートシンク２０上に固定されている。接着部材４４は、外部からの機械的ストレスから配線基板１０を保護し、配線基板１０の自重等による機械的ストレスから液晶表示素子１００を保護する。接着部材４４として光硬化（例えば紫外線硬化）と熱硬化との併用が可能な樹脂を用いてもよい。
【００２９】
遮光マスク３０は、液晶表示素子１００の上方に配置されている。遮光マスク３０は、液晶表示素子１００の表示画素部１１１に対応し、かつ、光を透過する光透過領域３１を有する。遮光マスク３０は、光透過領域３１に替えて開口部を有する構成としてもよい。遮光マスク３０は、光透過領域３１と表示画素部１１１とが対応するようにヒートシンク２０、及び、液晶表示素子１００と位置合わせされ、接着部材４５によりヒートシンク２０上に固定されている。
【００３０】
遮光マスク３０は、表示画素部１１１以外の領域に入射する光を遮断する。表示画素部１１１以外の領域を精度よく遮光するためには、遮光マスク３０を液晶表示素子１００に接近させて配置することが望ましい。接着部材４５として紫外線硬化性樹脂を用いてもよい。
【００３１】
外部から画像データが配線基板１０を介して液晶表示素子１００へ入力されることにより、画像データに基づく駆動電圧が画素電極１１２ごとに印加される。外部から照明光ＩＬが遮光マスク３０の光透過領域３１を透過し、さらに液晶表示素子１００の透明基板１２０を透過して表示画素部１１１に照射される。照明光ＩＬは液晶表示素子１００により画素電極１１２ごとに光変調され、画像光ＧＬが生成される。
【００３２】
従って、遮光マスク３０は、光透過領域３１が表示画素部１１１に対して照明光ＩＬが照射される側に位置するように、液晶表示素子１００に対して照明光ＩＬが照射される側に配置されている。透明基板１２０は、駆動基板１１０に対して照明光ＩＬが照射される側に所定の間隙を有して配置されている。
【００３３】
画像光ＧＬは、複数の画素電極１１２により反射され、遮光マスク３０の光透過領域３１を透過して外部へ射出される。画像光ＧＬが投射レンズを介してスクリーン等へ投射されることにより、スクリーン等に画像が表示される。
【００３４】
図３は、液晶表示素子１００の端子１５０と配線基板１０の端子５１〜５４との距離とボンディングワイヤＢＷの高さとの関係を示している。図３では、ボンディングワイヤＢＷ、及び、ボンディングワイヤＢＷにおける端子１５０及び５０との接合部を簡略化して示している。
【００３５】
図３に示す各符号について説明する。符号Ｌ１、Ｌ２、Ｌ３、及び、Ｌ４（Ｌ１＜Ｌ２＜Ｌ３＜Ｌ４）は、液晶表示素子１００の端子１５０と配線基板１０の端子５０（５１、５２、５３、及び、５４）との距離Ｌを区別して示している。符号ＢＷ１、ＢＷ２、ＢＷ３、及び、ＢＷ４は、ボンディングワイヤＢＷを距離Ｌ１、Ｌ２、Ｌ３、及び、Ｌ４に応じて区別して示している。
【００３６】
符号ＢＷＨ１、ＢＷＨ２、ＢＷＨ３、及び、ＢＷＨ４は、ボンディングワイヤＢＷ１、ＢＷ２、ＢＷ３、及び、ＢＷ４の高さＢＷＨ、具体的にはボンディングワイヤＢＷ１、ＢＷ２、ＢＷ３、及び、ＢＷ４の頂部ＢＷＴ１、ＢＷＴ２、ＢＷＴ３、及び、ＢＷＴ４の高さＢＷＨを示している。
【００３７】
液晶表示素子１００の端子１５０と配線基板１０の端子５０との距離Ｌが長くなるに従って、ボンディングワイヤＢＷのアーチ形状の半径を大きくすることが望ましい。これにより、ボンディングワイヤＢＷ１、ＢＷ２、ＢＷ３、及び、ＢＷ４に作用する重力ＧＲが、ボンディングワイヤＢＷ１、ＢＷ２、ＢＷ３、及び、ＢＷ４における配線基板１０の端子５１、５２、５３、及び、５４との接合部ＪＣ１、ＪＣ２、ＪＣ３、及び、ＪＣ４に対して垂直方向から加わる。
【００３８】
そのため、接合部ＪＣ１、ＪＣ２、ＪＣ３、及び、ＪＣ４に作用する応力の影響を抑制することができる。よって、液晶表示素子１００の端子１５０と配線基板１０の端子５０との距離Ｌが長くなるに従って、ボンディングワイヤＢＷの高さＢＷＨは高くなる（ＢＷＨ１＜ＢＷＨ２＜ＢＷＨ３＜ＢＷＨ４）。
【００３９】
しかしながら、液晶表示デバイス１では、ボンディングワイヤＢＷの高さＢＷＨを高くすると、ボンディングワイヤＢＷと遮光マスク３０とが接触する。これにより、ボンディングワイヤＢＷ同士が接触し、液晶表示デバイス１の性能または信頼性を悪化させる要因となる。
【００４０】
図４は、ボンディングワイヤＢＷ（ＢＷ４）の高さＢＷＨ（ＢＷＨ４）が制限された状態を示している。図４に示すように、ボンディングワイヤＢＷの高さＢＷＨが制限された状態では、ボンディングワイヤＢＷに弛みが生じる。弛んだボンディングワイヤＢＷに作用する重力ＧＲにより、ボンディングワイヤＢＷ（ＢＷ４）における端子５０との接合部ＪＣ（ＪＣ４）には水平方向の引っ張り応力ＴＳが作用する。
【００４１】
ボンディングワイヤＢＷの高さＢＷＨが制限された状態では、液晶表示素子１００の端子１５０と配線基板１０の端子５０との距離Ｌが長くなるに従って、ボンディングワイヤＢＷの弛みによる引っ張り応力ＴＳが増大する。
【００４２】
そのため、上記の距離Ｌが長くなるに従って、ボンディングワイヤＢＷが端子５０との接合部ＪＣで断線しやすくなる。なお、図４では、説明をわかりやすくするために、ボンディングワイヤＢＷ１、ＢＷ２、ＢＷ３、及び、ＢＷ４のうち、最も大きい引っ張り応力ＴＳが作用するボンディングワイヤＢＷ４のみを示している。
【００４３】
そこで、図１に示すように、ボンディングワイヤＢＷにおける端子５０との接合部ＪＣ上には、ボンディング補強部材６０が形成されている。ボンディング補強部材６０は、ボンディングワイヤＢＷが断線しやすい接合部ＪＣのネック部ＮＣを覆って接合部ＪＣ上に形成されている。ネック部ＮＣはボンディングワイヤＢＷにおける接合部ＪＣとの境界部に相当する。
【００４４】
図１では、ボンディングワイヤＢＷ１、ＢＷ２、ＢＷ３、及び、ＢＷ４のうち、最も大きい引っ張り応力ＴＳが作用するボンディングワイヤＢＷ４の接合部ＪＣ４のネック部ＮＣ４にボンディング補強部材６０が形成されている状態を示している。
【００４５】
ボンディング補強部材６０は、ボンディングワイヤＢＷ１、ＢＷ２、ＢＷ３、及び、ＢＷ４のうち、最も大きい引っ張り応力ＴＳが作用するボンディングワイヤＢＷ４の接合部ＪＣ４のネック部ＮＣのみに形成されていてもよいし、ボンディングワイヤＢＷ４及びＢＷ３の接合部ＪＣ４及びＪＣ３のネック部ＮＣのみに形成されていてもよい。
【００４６】
また、ボンディング補強部材６０は、ボンディングワイヤＢＷ４、ＢＷ３、及び、ＢＷ２の接合部ＪＣ４、ＪＣ３、及び、ＪＣ２のネック部ＮＣのみに形成されていてもよいし、全てのボンディングワイヤＢＷ（ＢＷ１〜ＢＷ４）の接合部ＪＣ（ＪＣ１〜ＪＣ４）の各ネック部ＮＣに形成されていてもよい。
【００４７】
図５に示すフローチャート、図６Ａ、図６Ｂ、図７Ａ、図７Ｂ、及び、図７Ｃを用いて、液晶表示デバイス１の製造方法の一例を説明する。図６Ａ、図６Ｂ、図７Ａ、図７Ｂ、及び、図７Ｃは、液晶表示デバイス１の製造方法の各過程を示している。オペレータは、図５に示すフローチャートのステップＳ１にて、液晶表示素子１００の駆動基板１１０と配線基板１０とを位置合わせし、接着部材４０により固定する。
【００４８】
オペレータは、ステップＳ２にて、液晶表示素子１００の駆動基板１１０と配線基板１０とを接続するボンディングワイヤＢＷを、ワイヤボンディングにより形成する。具体的には、オペレータは、駆動基板１１０の複数の端子１５０と配線基板１０の複数の端子５０（５１，５２，５３，及び、５４）とを接続する複数のボンディングワイヤＢＷを形成する。
【００４９】
オペレータは、駆動基板１１０の端子１５０に第１のボンディング（ボールボンディング）を行う。オペレータは、ボンディングワイヤＢＷの頂部ＢＷＴが透明基板１２０の上面１２０ａよりも低くなるように、例えばボンディングワイヤＢＷの高さＢＷＨが透明基板１２０の厚さＴＮ１２０よりも小さくなるように、配線基板１０の端子５０（５１，５２，５３，及び、５４）に第２のボンディング（ウェッジボンディング）を行う。
【００５０】
図６Ａは、ボンディングワイヤＢＷが配線基板１０の端子５０に第２のボンディングされている状態を示している。図６Ａに示す符号ＢＨはワイヤボンディングするためのボンディングヘッドである。ボンディングヘッドＢＨは例えばキャピラリである。図６Ｂ、図７Ａ、図７Ｂ、及び、図７Ｃは図６Ａに対応する。オペレータは、ボンディングヘッドＢＨを操作して、第２のボンディングを行う。ボンディングワイヤＢＷは、ボンディングヘッドＢＨによって端子５０に圧着されることにより、端子５０と接合する。
【００５１】
図６Ｂに示すように、オペレータは、ボンディングヘッドＢＨを端子５０の上方に移動させる。駆動基板１１０の端子１５０と配線基板１０の端子５０とを接続するボンディングワイヤＢＷが形成される。端子５０の上方に移動したボンディングヘッドＢＨの先端から露出するボンディングワイヤＢＷの先端部を溶融させることにより、球状のワイヤ溶融固化物ＷＭが形成される。
【００５２】
ボンディングワイヤＢＷにおける端子５０との接合部ＪＣは、ボンディングヘッドＢＨがボンディングワイヤＢＷを端子５０に圧着することにより形成される。そのため、ボンディングワイヤＢＷは接合部ＪＣで薄くなっている。
【００５３】
図４に示すように、ボンディングワイヤＢＷの高さＢＷＨが制限された状態では、ボンディングワイヤＢＷには、ボンディングワイヤＢＷの弛みに起因する引っ張り応力ＴＳが作用する。そのため、ボンディングワイヤＢＷは、接合部ＪＣのネック部ＮＣで断線しやすい形状となる。
【００５４】
オペレータは、ステップＳ３にて、ボンディング補強部材６０を接合部ＪＣのネック部ＮＣ上に形成する。オペレータは、図７Ａに示すように、ワイヤ溶融固化物ＷＭが接合部ＪＣのネック部ＮＣの上方に位置するように、ボンディングヘッドＢＨを所定の距離Ｌａだけ端子１５０に接近する方向に移動させる。所定の距離Ｌａを５０μｍ〜１００μｍの範囲内に設定することが好ましい。
【００５５】
さらに、オペレータは、図７Ｂに示すように、ボンディングヘッドＢＨがネック部ＮＣの上方に位置した状態で、端子５０に対して第１のボンディング（ボールボンディング）と第２のボンディング（ウェッジボンディング）とを連続して行う。
【００５６】
これにより、ボンディングヘッドＢＨは、ワイヤ溶融固化物ＷＭを、ネック部ＮＣを覆うように端子５０に圧着させる。なお、第１のボンディングを行った後に、ボンディングヘッドＢＨを所定の距離Ｌｂだけ移動させ、端子５０に対して第２のボンディングを行ってもよい。
【００５７】
図７Ｃに示すように、オペレータは、ボンディングヘッドＢＨを端子５０の上方に移動させる。端子５０上に圧着されたワイヤ溶融固化物ＷＭは、ボンディング補強部材６０として端子５０上に形成される。ボンディング補強部材６０は、断線しやすいネック部ＮＣを覆って端子５０上に形成されているため、ボンディングワイヤＢＷのネック部ＮＣを含む接合部ＪＣの強度を向上させることができる。
【００５８】
オペレータは、駆動基板１１０の複数の端子１５０と配線基板１０の端子５０（５１〜５４）とを複数のボンディングワイヤＢＷによりそれぞれ接続する。オペレータは、複数のボンディングワイヤＢＷのネック部ＮＣをそれぞれ覆うように、各端子５０上にボンディング補強部材６０を形成する。
【００５９】
オペレータは、ボンディングワイヤＢＷとボンディング補強部材６０とをボンディングワイヤＢＷごとに交互に形成してもよいし、複数のボンディングワイヤＢＷを形成した後に各ボンディングワイヤＢＷに対してボンディング補強部材６０をそれぞれ形成してもよい。オペレータがワイヤボンディング装置を操作することにより、ワイヤボンディング装置がステップＳ２及びＳ３を実行してもよい。
【００６０】
オペレータは、ステップＳ４にて、封止樹脂４１を、複数のボンディングワイヤＢＷと複数の端子５０（５１〜５４）及び１５０とを覆うように、駆動基板１１０上、及び、配線基板１０上に形成する。
【００６１】
オペレータは、ステップＳ５にて、液晶表示素子１００の駆動基板１１０を、熱伝導性部材４２を介してヒートシンク２０上に配置する。さらに、オペレータは、液晶表示素子１００をヒートシンク２０に対して位置合わせし、液晶表示素子１００の透明基板１２０を、接着部材４３を用いてヒートシンク２０上に固定する。これにより、液晶表示素子１００は、ヒートシンク２０に対して位置決めされ、かつ、接着部材４３によりヒートシンク２０上に固定される。
【００６２】
オペレータは、ステップＳ６にて、配線基板１０を、接着部材４４を用いてヒートシンク２０上に固定する。オペレータは、ステップＳ７にて、遮光マスク３０を、光透過領域３１が表示画素部１１１の上方に位置するように、液晶表示素子１００の上方に配置する。さらに、オペレータは、遮光マスク３０を、ヒートシンク２０、及び、液晶表示素子１００と位置合わせする。さらに、オペレータは、遮光マスク３０を、接着部材４５を用いてヒートシンク２０上に固定する。液晶表示デバイス１は、上記のステップＳ１〜Ｓ７により作製される。
【００６３】
本実施形態の液晶表示デバイス１、及び、液晶表示デバイス１の製造方法では、ボンディング補強部材６０を、ボンディングワイヤＢＷの切断されやすいネック部ＮＣを覆って端子５０上に形成する。従って、本実施形態の液晶表示デバイス１、及び、液晶表示デバイス１の製造方法によれば、遮光マスク３０によりボンディングワイヤＢＷの高さが制限されたとしても、ボンディング補強部材６０により、ボンディングワイヤＢＷのネック部ＮＣを含む接合部ＪＣの強度を向上させることができる。
【００６４】
よって、本実施形態の液晶表示デバイス１、及び、液晶表示デバイス１の製造方法によれば、ボンディングワイヤＢＷの高さが制限されたとしてもボンディングワイヤＢＷの断線を抑制できる。
【００６５】
なお、本発明は、上述した実施形態に限定されるものではなく、本発明の要旨を逸脱しない範囲において種々変更可能である。
【符号の説明】
【００６６】
１  液晶表示デバイス
１０  配線基板
３０  遮光マスク
３１  光透過領域
５０，５１，５２，５３，５４  端子（第２の端子）
６０  ボンディング補強部材
１００  液晶表示素子
１１０  駆動基板（第１の基板）
１１１  表示画素部
１１２  画素電極
１２０  透明基板（第２の基板）
１２１  対向電極
１３０  液晶
１４０  シール材
１５０  端子（第１の端子）
ＢＷ  ボンディングワイヤ
【図１】
2019152775.tif 000003
【図２】
2019152775.tif 000004
【図３】
2019152775.tif 000005
【図４】
2019152775.tif 000006
【図５】
2019152775.tif 000007
【図６Ａ】
2019152775.tif 000008
【図６Ｂ】
2019152775.tif 000009
【図７Ａ】
2019152775.tif 000010
【図７Ｂ】
2019152775.tif 000011
【図７Ｃ】
2019152775.tif 000012